【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
前記基地局によって、クリアチャネルアセスメント（ＣＣＡ）を実施する前のＣＣＡ持続時間と等価な少なくとも１つの持続時間の間の共有チャネルを測定することと、
前記基地局によって、前記測定することに少なくとも部分的に基づいて前記少なくとも１つの持続時間の間の前記共有チャネルのチャネル状態を決定することと、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整することと、ここにおいて、前記調整することは、前記決定されたチャネル状態に少なくとも部分的に基づく、
前記基地局によって、前記調整することに少なくとも部分的に基づいて前記ＣＣＡを実施することと、ここにおいて、前記ＣＣＡは、前記少なくとも１つの持続時間に後続して、および前記基地局によって使用するために識別されたＯＦＤＭシンボル期間の間に、実施される、
を備える方法。
【請求項２】
前記調整することが、
前記チャネル状態に基づいて前記送信電力を調整することと、ここにおいて、前記調整された送信電力は、最大送信電力である、
前記調整された送信電力に基づいて前記ＣＣＡしきい値レベルを調整することと
を備える、請求項１に記載の方法。
【請求項３】
前記調整された送信電力よりも高い送信電力を使用して１つまたは複数の制御信号を送信することと、
前記調整された送信電力でデータ信号を送信することと
をさらに備える、請求項２に記載の方法。
【請求項４】
前記１つまたは複数の制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、請求項３に記載の方法。
【請求項５】
前記調整することが、
前記チャネル状態に基づいて前記ＣＣＡしきい値レベルを調整することと、
前記調整されたＣＣＡしきい値レベルに基づいて前記送信電力を調整することと
を備える、請求項１に記載の方法。
【請求項６】
前記決定されたチャネル状態に基づいて変調およびコーディング方式（ＭＣＳ）を調整すること
をさらに備える、請求項１に記載の方法。
【請求項７】
前記決定することが、
複数のＣＣＡ持続時間の間の前記共有チャネルの前記チャネル状態を監視することと、
後続のＣＣＡ持続時間についての予想されるチャネル状態を決定することと
を備える、請求項１に記載の方法。
【請求項８】
ＣＣＡを実施するために使用されるべき複数のアンテナのうちの少なくとも１つのアンテナを選択すること
をさらに備える、請求項１に記載の方法。
【請求項９】
前記ＣＣＡを実施することは、前記選択されたアンテナを使用して１つまたは複数のＣＣＡを実施することを備え、前記方法は、
前記１つまたは複数のＣＣＡの間の前記共有チャネル上のエネルギーが前記ＣＣＡしきい値レベルを超えるとき、前記共有チャネルが送信に利用できないと決定することと、
前記共有チャネル上の前記エネルギーが前記ＣＣＡしきい値レベル未満であるとき、前記共有チャネルが送信に利用できると決定することと
をさらに備える、請求項８に記載の方法。
【請求項１０】
前記決定することが、
複数のＣＣＡ持続時間の間の前記複数のアンテナの各々についての複数のチャネル状態を監視することと、
後続のＣＣＡ持続時間についての監視されたアンテナごとの複数の予想されるチャネル状態を決定することと
を備える、請求項８に記載の方法。
【請求項１１】
前記決定することが、
複数のＣＣＡ持続時間の間の複数のチャネル状態測定値に基づいて、前記チャネル状態についての少なくとも１つの統計値を決定すること
を備える、請求項１に記載の方法。
【請求項１２】
前記少なくとも１つの統計値が、累積分布関数（ＣＤＦ）を含む、請求項１１に記載の方法。
【請求項１３】
前記少なくとも１つの統計値を異なる基地局に送信すること
をさらに備える、請求項１１に記載の方法。
【請求項１４】
前記調整することが、
アップリンク送信に使用されるべき、前記調整された送信電力、調整されたＣＣＡしきい値、または変調およびコーディング方式（ＭＣＳ）のうちの１つまたは複数を受信すること、ここにおいて、前記１つまたは複数の調整された送信電力、調整されたＣＣＡしきい値、またはＭＣＳが、半静的にまたは動的に受信される、
を備える、請求項１３に記載の方法。
【請求項１５】
基地局におけるワイヤレス通信のための装置であって、
前記基地局によって、クリアチャネルアセスメント（ＣＣＡ）を実施する前のＣＣＡ持続時間と等価な少なくとも１つの持続時間の間の共有チャネルを測定するための手段と、
前記基地局によって、前記測定することに少なくとも部分的に基づいて前記少なくとも１つの持続時間の間の前記共有チャネルのチャネル状態を決定するための手段と、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整するための手段と、ここにおいて、前記調整することは、前記決定されたチャネル状態に少なくとも部分的に基づく、
前記基地局によって、前記調整することに少なくとも部分的に基づいて前記ＣＣＡを実施するための手段と、ここにおいて、前記ＣＣＡは、前記少なくとも１つの持続時間に後続して、および前記基地局によって使用するために識別されたＯＦＤＭシンボル期間の間に、実施される、
を備える装置。
【請求項１６】
調整するための前記手段が、
前記チャネル状態に基づいて前記送信電力を調整するための手段と、ここにおいて、前記調整された送信電力は、最大送信電力である、
前記調整された送信電力に基づいて前記ＣＣＡしきい値レベルを調整するための手段と
を備える、請求項１５に記載の装置。
【請求項１７】
前記調整された送信電力よりも高い送信電力を使用して１つまたは複数の制御信号を送信し、前記調整された送信電力でデータ信号を送信するための手段
をさらに備える、請求項１６に記載の装置。
【請求項１８】
前記１つまたは複数の制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、請求項１７に記載の装置。
【請求項１９】
調整するための前記手段が、
前記チャネル状態に基づいて前記ＣＣＡしきい値レベルを調整するための手段と、
前記調整されたＣＣＡしきい値レベルに基づいて前記送信電力を調整するための手段と
を備える、請求項１５に記載の装置。
【請求項２０】
前記決定されたチャネル状態に基づいて変調およびコーディング方式（ＭＣＳ）を調整するための手段
をさらに備える、請求項１５に記載の装置。
【請求項２１】
決定するための前記手段が、
複数のＣＣＡ持続時間の間の前記共有チャネルの前記チャネル状態を監視するための手段と、
後続のＣＣＡ持続時間ついての予想されるチャネル状態を決定するための手段と
を備える、請求項１５に記載の装置。
【請求項２２】
基地局におけるワイヤレス通信のための装置であって、
プロセッサと、
前記プロセッサに結合されたメモリとを備え、ここにおいて、前記プロセッサが、
前記基地局によって、クリアチャネルアセスメント（ＣＣＡ）を実施する前のＣＣＡ持続時間と等価な少なくとも１つの持続時間の間の共有チャネルを測定し、
前記基地局によって、前記測定することに少なくとも部分的に基づいて前記少なくとも１つの持続時間の間の前記共有チャネルのチャネル状態を決定し、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整し、ここにおいて、前記調整することは、前記決定されたチャネル状態に少なくとも部分的に基づく
前記基地局によって、前記調整することに少なくとも部分的に基づいて前記ＣＣＡを実施する、ここにおいて、前記ＣＣＡは、前記少なくとも１つの持続時間に後続して、および前記基地局によって使用するために識別されたＯＦＤＭシンボル期間の間に、実施される、
ように構成される、装置。
【請求項２３】
前記プロセッサが、
前記チャネル状態に基づいて前記送信電力を調整し、ここにおいて、前記調整された送信電力は、最大送信電力である、
前記調整された送信電力に基づいて前記ＣＣＡしきい値レベルを調整する
ようにさらに構成される、請求項２２に記載の装置。
【請求項２４】
前記プロセッサが、前記調整された送信電力よりも高い送信電力を使用して１つまたは複数の制御信号を送信し、前記調整された送信電力でデータ信号を送信するようにさらに構成される、請求項２３に記載の装置。
【請求項２５】
前記プロセッサが、
前記チャネル状態に基づいて前記ＣＣＡしきい値レベルを調整し、
前記調整されたＣＣＡしきい値レベルに基づいて前記送信電力を調整する
ようにさらに構成される、請求項２２に記載の装置。
【請求項２６】
前記プロセッサが、前記決定されたチャネル状態に基づいて変調およびコーディング方式（ＭＣＳ）を調整するようにさらに構成される、請求項２２に記載の装置。
【請求項２７】
前記プロセッサが、
複数のＣＣＡ持続時間の間の前記チャネル状態を監視し、
後続のＣＣＡ持続時間についての予想されるチャネル状態を決定する
ようにさらに構成される、請求項２２に記載の装置。
【請求項２８】
前記プロセッサが、ＣＣＡを実施するために使用されるべき複数のアンテナのうちの少なくとも１つのアンテナを選択するようにさらに構成される、請求項２２に記載の装置。
【請求項２９】
基地局における、プロセッサによって実行可能な命令を記憶するための非一時的コンピュータ可読媒体であって、
前記基地局によって、クリアチャネルアセスメント（ＣＣＡ）を実施する前のＣＣＡ持続時間と等価な少なくとも１つの持続時間の間の共有チャネルを測定するための命令と、
前記基地局によって、前記測定することに少なくとも部分的に基づいて前記少なくとも１つの持続時間の間の前記共有チャネルのチャネル状態を決定するための命令と、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整するための命令と、ここにおいて、前記調整することは、前記決定されたチャネル状態に少なくとも部分的に基づく、
前記基地局によって、前記調整することに少なくとも部分的に基づいて前記ＣＣＡを実施するための命令と、ここにおいて、前記ＣＣＡは、前記少なくとも１つの持続時間に後続して、および前記基地局によって使用するために識別されたＯＦＤＭシンボル期間の間に、実施される、
を備える非一時的コンピュータ可読媒体。
【請求項３０】
前記命令が、
前記チャネル状態に基づいて前記送信電力を調整するための命令と、ここにおいて、前記調整された送信電力は、最大送信電力である、
前記調整された送信電力に基づいて前記ＣＣＡしきい値レベルを調整するための命令と
に対して前記プロセッサによってさらに実行可能である、請求項２９に記載の非一時的コンピュータ可読媒体。
【手続補正２】
【補正対象書類名】明細書
【補正対象項目名】０１１４
【補正方法】変更
【補正の内容】
【０１１４】
[0130]本開示についての以上の説明は、当業者が本開示を作成または使用することができるように与えたものである。本開示への様々な修正は当業者に容易に明らかになり、本明細書で定義される一般原理は、本開示の趣旨または範囲から逸脱することなく、他の変形形態に適用され得る。本開示全体にわたって、「例」または「例示的」という用語は、一例または一事例を示すものであり、言及された例についてのいかなる選好も暗示または要求するものではない。したがって、本開示は、本明細書で説明される例および設計に限定されるべきではなく、本明細書で開示される原理および新規の特徴と一致する最も広い範囲を与えられるべきである。
以下に本願の出願当初の特許請求の範囲に記載された発明を付記する。
［Ｃ１］
ワイヤレス通信のための方法であって、
クリアチャネルアセスメント（ＣＣＡ）持続時間についてのチャネル状態を決定することと、
前記決定することに基づいて送信電力またはＣＣＡしきい値レベルのうちの少なくとも１つを調整することと
を備える方法。
［Ｃ２］
前記調整することが、
前記チャネル状態に基づいて前記送信電力を調整することと、
前記調整された送信電力に基づいて前記ＣＣＡしきい値レベルを調整することと
を備える、Ｃ１に記載の方法。
［Ｃ３］
前記調整することが、
前記チャネル状態に基づいて前記ＣＣＡしきい値レベルを調整することと、
前記調整されたＣＣＡしきい値レベルに基づいて前記送信電力を調整することと
を備える、Ｃ１に記載の方法。
［Ｃ４］
前記決定されたチャネル状態に基づいて変調およびコーディング方式（ＭＣＳ）を調整すること
をさらに備える、Ｃ１に記載の方法。
［Ｃ５］
調整されていない送信電力を使用して１つまたは複数の制御信号を送信することと、
前記調整された送信電力でデータ信号を送信することと
をさらに備える、Ｃ２に記載の方法。
［Ｃ６］
前記制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、Ｃ５に記載の方法。
［Ｃ７］
前記決定することが、
複数のＣＣＡ持続時間の間の前記チャネル状態を監視することと、
後続のＣＣＡタイムスロットについての予想されるチャネル状態を決定することと
を備える、Ｃ１に記載の方法。
［Ｃ８］
ＣＣＡを実施するために使用されるべき複数のアンテナのうちの少なくとも１つのアンテナを選択すること
をさらに備える、Ｃ１に記載の方法。
［Ｃ９］
前記選択されたアンテナを使用してＣＣＡを実施することと、
前記ＣＣＡの間のチャネル上のエネルギーが前記ＣＣＡしきい値レベルを超えるとき、前記チャネルが送信に利用できないと決定することと、
前記チャネル上の前記エネルギーが前記ＣＣＡしきい値レベル未満であるとき、前記チャネルが送信に利用できると決定することと
をさらに備える、Ｃ８に記載の方法。
［Ｃ１０］
前記決定することが、
複数のＣＣＡ持続時間の間の前記複数のアンテナの各々におけるチャネル状態を監視することと、
後続のＣＣＡ持続時間についての監視されたアンテナごとの予想されるチャネル状態を決定することと
を備える、Ｃ８に記載の方法。
［Ｃ１１］
前記決定することが、
複数のＣＣＡ持続時間の間の複数のチャネル状態測定値に基づいて、前記チャネル状態についての少なくとも１つの統計値を決定すること
を備える、Ｃ１に記載の方法。
［Ｃ１２］
前記少なくとも１つの統計値が、累積分布関数（ＣＤＦ）を含む、Ｃ１１に記載の方法。
［Ｃ１３］
前記少なくとも１つの統計値を基地局に送信すること
をさらに備える、Ｃ１１に記載の方法。
［Ｃ１４］
前記調整することが、
アップリンク送信に使用されるべき、前記調整された送信電力、調整されたＣＣＡしきい値、または変調およびコーディング方式（ＭＣＳ）のうちの１つまたは複数を受信すること、ここにおいて、前記１つまたは複数の調整された送信電力、調整されたＣＣＡしきい値、またはＭＣＳが、半静的にまたは動的に受信される、
を備える、Ｃ１３に記載の方法。
［Ｃ１５］
ワイヤレス通信のための装置であって、
クリアチャネルアセスメント（ＣＣＡ）持続時間についてのチャネル状態を決定するための手段と、
前記決定することに基づいて送信電力またはＣＣＡしきい値レベルのうちの少なくとも１つを調整するための手段と
を備える装置。
［Ｃ１６］
調整するための前記手段が、
前記チャネル状態に基づいて前記送信電力を調整するための手段と、
前記調整された送信電力に基づいて前記ＣＣＡしきい値レベルを調整するための手段と
を備える、Ｃ１５に記載の装置。
［Ｃ１７］
調整するための前記手段が、
前記チャネル状態に基づいて前記ＣＣＡしきい値レベルを調整するための手段と、
前記調整されたＣＣＡしきい値レベルに基づいて前記送信電力を調整するための手段と
を備える、Ｃ１５に記載の装置。
［Ｃ１８］
前記決定されたチャネル状態に基づいて変調およびコーディング方式（ＭＣＳ）を調整するための手段
をさらに備える、Ｃ１５に記載の装置。
［Ｃ１９］
調整されていない送信電力を使用して１つまたは複数の制御信号を送信し、前記調整された送信電力でデータ信号を送信するための手段
をさらに備える、Ｃ１６に記載の装置。
［Ｃ２０］
前記制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、Ｃ１９に記載の装置。
［Ｃ２１］
決定するための前記手段が、
複数のＣＣＡ持続時間の間の前記チャネル状態を監視するための手段と、
後続のＣＣＡタイムスロットについての予想されるチャネル状態を決定するための手段と
を備える、Ｃ１５に記載の装置。
［Ｃ２２］
ワイヤレス通信のための装置であって、
プロセッサと、
前記プロセッサに結合されたメモリとを備え、ここにおいて、前記プロセッサが、
クリアチャネルアセスメント（ＣＣＡ）持続時間についてのチャネル状態を決定し、
前記決定に基づいて送信電力またはＣＣＡしきい値レベルのうちの少なくとも１つを調整する
ように構成される、装置。
［Ｃ２３］
前記プロセッサが、
前記チャネル状態に基づいて前記送信電力を調整し、
前記調整された送信電力に基づいて前記ＣＣＡしきい値レベルを調整する
ようにさらに構成される、Ｃ２２に記載の装置。
［Ｃ２４］
前記プロセッサが、
前記チャネル状態に基づいて前記ＣＣＡしきい値レベルを調整し、
前記調整されたＣＣＡしきい値レベルに基づいて前記送信電力を調整する
ようにさらに構成される、Ｃ２２に記載の装置。
［Ｃ２５］
前記プロセッサが、前記決定されたチャネル状態に基づいて変調およびコーディング方式（ＭＣＳ）を調整するようにさらに構成される、Ｃ２２に記載の装置。
［Ｃ２６］
前記プロセッサが、調整されていない送信電力を使用して１つまたは複数の制御信号を送信し、前記調整された送信電力でデータ信号を送信するようにさらに構成される、Ｃ２３に記載の装置。
［Ｃ２７］
前記プロセッサが、
複数のＣＣＡ持続時間の間の前記チャネル状態を監視し、
後続のＣＣＡタイムスロットについての予想されるチャネル状態を決定する
ようにさらに構成される、Ｃ２２に記載の装置。
［Ｃ２８］
前記プロセッサが、ＣＣＡを実施するために使用されるべき複数のアンテナのうちの少なくとも１つのアンテナを選択するようにさらに構成される、Ｃ２２に記載の装置。
［Ｃ２９］
プロセッサによって実行可能な命令を記憶するための非一時的コンピュータ可読媒体であって、
クリアチャネルアセスメント（ＣＣＡ）持続時間についてのチャネル状態を決定するための命令と、
前記決定に基づいて送信電力またはＣＣＡしきい値レベルのうちの少なくとも１つを調整するための命令と
を備える非一時的コンピュータ可読媒体。
［Ｃ３０］
前記命令が、
前記チャネル状態に基づいて前記送信電力を調整するための命令と、
前記調整された送信電力に基づいて前記ＣＣＡしきい値レベルを調整するための命令と
に対して前記プロセッサによってさらに実行可能である、Ｃ２９に記載の非一時的コンピュータ可読媒体。